(57)【要約】【課題】所謂蓋リングレス構造の炊飯器において、その内蓋外周縁に装着される蓋パッキンの取付けを内蓋の一部により固定し、その固定に他の部材を関与させないようにして取付け精度、シール精度を高めることである。【解決手段】内蓋２ｂの外周縁の立ち上がり部につば状に張り出した装着部３６を形成するとともに、その装着部３６の上部にカシメ部３７を設け、蓋パッキン９の基部３８内周面に設けた嵌合溝３９を前記装着部３６に嵌合し、前記嵌合溝３６の上部の基部３８を前記カシメ部３７によりカシメた構成とした。【選択図】  図８
2004357780.tif 000002
【特許請求の範囲】
【請求項１】
炊飯器の外蓋の内面に取付けた内蓋の外周縁に蓋パッキンを装着し、前記蓋パッキンの基部を内蓋外周縁に固定し、そのパッキンを炊飯釜の開口周縁部に密着させるようにした炊飯器の蓋パッキン取付け構造において、前記内蓋外周縁の立ち上がり部につば状に張り出した装着部を形成するとともに、その装着部の上部にカシメ部を設け、前記蓋パッキンの基部内周面に設けた嵌合溝を前記装着部に嵌合し、前記嵌合溝の上部の基部を前記カシメ部によりカシメたことを特徴とする炊飯器の蓋パッキン取付け構造。
【請求項２】
前記装着部は前記内蓋外周縁の立ち上がり部を断面横Ｕ形に屈曲するとともにその下片と上片をカシメて形成されたものであり、前記カシメ部は前記装着部の上片の屈曲端から立ち上がって断面逆Ｌ形に屈曲形成されたものであることを特徴とする請求項１に記載の炊飯器の蓋パッキン取付け構造。
【請求項３】
前記内蓋のカシメ部の一部に一対の係合爪と一対の固定片を設け、前記係合爪により該内蓋を前記外蓋内面に係合するとともに、前記固定片により該内蓋を前記外蓋内面に固定したことを特徴とする請求項１又は２に記載の炊飯器の蓋パッキン取付け構造。
【発明の詳細な説明】
【０００１】
【発明の属する技術分野】
この発明は、炊飯器における蓋パッキン取付け構造に関するものである。
【０００２】
【従来の技術】
炊飯器の蓋の内面には、従来から内蓋を取付けることが行われている。この内蓋は炊飯釜をシールするとともに保温中の結露を防止すべく蓋ヒーターの熱を分散放出させる機能をもったものであり、前記のシール作用のために内蓋外周縁に蓋パッキンが装着される。
【０００３】
また、炊飯器が非加圧型の比較的簡単な構造の炊飯器においては、蓋を補強するとともに蓋を炊飯器本体に連結する部材としての蓋リング部材を省略した構造（いわゆる蓋リングレス構造）が採られる。このタイプの蓋は、外蓋の内面に直接内蓋を固定するとともに、炊飯器本体に対する連結部材としては専らヒンジ機能を担う蓋ヒンジ部材が用いられる（特許文献１参照）。この場合蓋パッキンの取付け構造は、内蓋の外周縁を外蓋内面の突起に係合させ、内蓋の外周縁と外蓋内面に設けた溝との間で蓋パッキンの基部を挟持する構成が採られる。
【０００４】
なお、従来の蓋リング部材を採用したものとして特許文献２を示す。この場合は、外蓋内面の外周に沿って蓋リング部材を固定し、内蓋外周縁と前記蓋リング部材の内周縁との間で蓋パッキンの基部をカシメにより挟持固定する構成が採られる。
【０００５】
【特許文献１】
特開平１０−６６６４２号公報（図２参照）
【特許文献２】
実開平７−４３５８１号公報（図８参照）
【０００６】
【発明が解決しようとする課題】
しかしながら、前記の構成はいずれの場合も蓋パッキンが外蓋（特許文献１の場合）又は蓋リング部材（特許文献２の場合）によって固定されるものであるので、蓋パッキンの取付け精度がこれらの部材の加工精度や組み付け精度の影響を受ける。このためシール精度が上がり難い問題があった。また、特許文献２の場合は蓋リング部材が必要であることから、コスト高になる問題もあった。
【０００７】
そこで、この発明は、蓋リングレス構造の場合において、蓋パッキンのシール精度が高く、また低コストで提供できる蓋パッキンの取付け構造を提供することを課題とする。
【０００８】
【課題を解決するための手段】
前記の課題を解決するために、この発明は、炊飯器の外蓋の内面に取付けた内蓋の外周縁に蓋パッキンを装着し、前記蓋パッキンの基部を内蓋外周縁に固定し、そのパッキンを炊飯釜の開口周縁部に密着させるようにした炊飯器の蓋パッキン取付け構造において、前記内蓋外周縁の立ち上がり部につば状に張り出した装着部を形成するとともに、その装着部の上部にカシメ部を設け、前記蓋パッキンの基部内周面に設けた嵌合溝を前記装着部に嵌合し、前記嵌合溝の上部の基部を前記カシメ部によりカシメた構成を採用した。
【０００９】
前記の構成によると、蓋パッキンは内蓋の立ち上がり部において内蓋自体により固定され、内蓋以外の部材がその取付けに関与することがないので、シール精度が向上するとともに、低コストである利点がある。
【００１０】
一層具体的な構成としては、前記装着部は前記内蓋外周縁の立ち上がり部を断面横Ｕ形に屈曲するとともにその下片と上片をカシメて形成されたものであり、前記カシメ部は前記装着部の上片の屈曲端から立ち上がって断面逆Ｌ形に屈曲形成されたものとすることができる。また、前記内蓋のカシメ部の一部に一対の係合爪と一対の固定片を設け、前記係合爪により該内蓋を前記外蓋内面に係合するとともに、前記固定片により該内蓋を前記外蓋内面に固定した構成を採ることもできる。
【００１１】
【発明の実施の形態】
以下、この発明の実施の形態を添付図面に基づいて説明する。図１に示すように、実施形態の炊飯器は、炊飯器本体１に蓋２を開閉自在に取付けている。蓋２は外蓋２ａと、その内面に固定された内蓋２ｂ及びその内蓋２ｂの後端縁に沿って外蓋２ａの後端部に取付けられた蓋ヒンジ部材２ｃとからなる（図４参照）。炊飯器本体１の内部には炊飯釜３が収納され、前面に操作パネル４が設けられる。また操作パネル４の上部にロック解除ボタン５が設けられる。図２に示すように、炊飯器本体１の内部に加熱板６が設けられ、前記の炊飯釜３がその上に載る。前記の内蓋２ｂに蒸気穴７に通じた蒸気穴セット８が取付けられる。内蓋２ｂの外周に蓋パッキン９が装着され、前記の炊飯釜３の開口周縁に密着される。炊飯器本体１の胴部１１の後部上面に蓋取付け台１２が設けられ、その蓋取付け台１２に蓋ヒンジ部材２ｃを介して外蓋２ａとこれに組み合わされた内蓋２ｂが取付けられる。
【００１２】
前記の蓋ヒンジ部材２ｃは、図３に示すように、前記蓋取付け台１２の両側面の外面に嵌合するヒンジ部１３、１３が左右両側において後方に突き出して設けられ、各ヒンジ部１３、１３にそれぞれヒンジ穴１４、１４が同芯状に設けられる。左右のヒンジ部１３の間に平面視コの字形の嵌合部１５が形成され、その嵌合部１５が蓋取付け台１２に嵌合される。
【００１３】
前記の蓋取付け台１２の上端開口部１６からその内部にヒンジばね１７が収納され、各ヒンジ部１３のヒンジ穴１４と蓋取付け台１２の軸受穴１８に挿通されたヒンジピン１９が蓋取付け台１２の内部においてヒンジばね１７のコイル部に貫通される。ヒンジばね１７の一端のフック部２１は蓋取付け台１２の内部に係合され、また、他端のフック部２２は蓋ヒンジ部材２ｃのフック受け部２３を通って外蓋２ａの内面に係合される（図２参照）。
【００１４】
前記の蓋ヒンジ部材２ｃはヒンジピン１９を中心として回転自在であり、前方に倒れた状態（蓋２の閉鎖状態）でその嵌合部１５が蓋取付け台１２の前面に嵌合し、起立した状態（蓋２の開放状態）で嵌合部１５が蓋取付け台１２の上方に嵌合する。この蓋ヒンジ部材２ｃはヒンジばね１７のばね力により常に起立方向に付勢される。
【００１５】
前記の蓋ヒンジ部材２ｃと外蓋２ａとの連結構造は、次のようなものである。即ち、外蓋２ａの後端面には前記の蓋取付け台１２に嵌合する形状の長方形の切欠き部２４が設けられ（図３、図４参照）、その切欠き部２４の内側の左右において角柱形のねじ止めボス部２５、２５が一体に形成されている。また、各ねじ止めボス部２５の内側には環状の補強リブ２６が形成され、その補強リブ２６に一対の切欠き２７，２７による位置決め部及びこれらの外側に角形の係合穴２８、２８が形成される。
【００１６】
一方、蓋ヒンジ部材２ｃには、前記のヒンジ部１３、１３の近傍においてねじ止めボス部２５、２５に合致するボス嵌合部２９が設けられ（図３参照）、これらのボス嵌合部２９にビス穴３１が設けられる。また、図５に示すように、蓋ヒンジ部材２ｃの前記嵌合部１５と反対側の面に前記補強リブ２６の外周面に沿う円弧部３２が形成され、その円弧部３２に前記の切欠き２７、２７に嵌合する位置決め突片３３、３３及びその外側に前記係合穴２８、２８に係合する係合爪３４、３４が設けられる。
【００１７】
前記の内蓋２ｂは、図７及び図８に示したように、円形の金属製の放熱板３５の周縁部の立ち上がり部につば状に張り出した装着部３６を屈曲形成するとともに、その装着部３６の上部にカシメ部３７を設け、前記の蓋パッキン９の基部３８に設けた嵌合溝３９を前記の装着部３６に嵌合するとともに、その嵌合溝３９の上部の基部３８をカシメ部３７によりカシメて固定したものである。前記の装着部３６は、前記立ち上がり部を断面横Ｕ形に屈曲するとともにその上片３６ａと下片３６ｂ（図８（ｃ）参照）とをカシメて密着して形成されたものである。また、前記カシメ部３７は前記装着部３６の上片３６ａの屈曲端から立ち上がって断面逆Ｌ形に屈曲形成されたものである。
【００１８】
上記のカシメ部３７の一部に、図７及び図８（ｂ）（ｃ）に示すように、一対の係合爪４０、４０と一対の固定片４１、４１を設けている。また、放熱板３５の上面に蓋ヒーター４２が装着され、アルミ箔４３によりカバーされる。
【００１９】
前記の一対の係合爪４０、４０を、図４（ａ）に示したように、外蓋２ａの内面に設けられた係合片４４、４４に係合するとともに、固定片４１、４１を前記の切欠き２７、２７に嵌合し、さらにその切欠き２７、２７の外側に設けた係合突起４６、４６に係合させ仮止めする（図６（ｂ）参照）。なお、各係合片４４は、図４（ｂ）に示したように、その基部に一対の補強リブ４４’、４４’を設けることにより補強されている。
【００２０】
前記の蓋ヒンジ部材２ｃは、前述のように、予めヒンジピン１９によって胴部１１の蓋取付け台１２に取付けられる。次に、前述のようにして内蓋２ｂを組み合わせた外蓋２ａの切欠き２４を蓋ヒンジ部材２ｃの円弧部３２側から差し込み、円弧部３２を補強リブ２６の外周面に沿わせ、かつ位置決め突片３３、３３を補強リブ２６の切欠き２７、２７に嵌合し、また係合爪３４、３４を係合穴２８、２８に係合させる。また、ボス嵌合部２９、２９をネジ止めボス部２５、２５に嵌合し、ビス穴３１、３１に通したビス４５により固定する（図６（ａ）参照）。
【００２１】
蓋ヒンジ部材２ｃが前記のようにして外蓋２ａに嵌合固定されると同時に、内蓋２ｂの固定片４１、４１は位置決め突片３３、３３により外蓋２ａの内面に押し当てられ固定される（図６（ｂ）参照）。
【００２２】
前記のように、胴部１１の蓋取付け台１２にヒンジピン１９により回転自在に取付けた蓋ヒンジ部材２ｃに対し、内蓋２ｂを組み合わせた外蓋２ａを嵌合固定することにより、蓋２が炊飯器本体１に対して開閉自在に取付けられる（図１参照）。
【００２３】
蓋２を閉鎖した状態で、図２に示すように、内蓋２ｂの蓋パッキン９が炊飯釜３の開口周縁部に密着しシールを行う。また蓋ヒーター４２への通電により内蓋２ｂの放熱板３５が加熱され、保温時に内蓋２ｂに結露を生じることが防止される。
【００２４】
【発明の効果】
以上のように、この発明によれば、いわゆる蓋リングレス構造の炊飯器において、その内蓋に装着される蓋パッキンは、内蓋の立ち上がり部に設けた装着部とカシメ部にその基部を固定することにより取付けたものであるから、蓋パッキンは内蓋の一部によってのみ固定される。その結果、蓋パッキンの固定に他の部材が関与することがないので取付け精度が高く、従って高いシール精度が得られる。
【図面の簡単な説明】
【図１】実施形態の斜視図
【図２】同上の断面図
【図３】同上の一部分解斜視図
【図４】同上の蓋の分解斜視図
【図５】同上のヒンジ部の一部分解斜視図
【図６】（ａ）同上の一部断面図（ｂ）同上の一部断面図
【図７】同上の内蓋の斜視図
【図８】（ａ）から（ｃ）同上の内蓋の一部断面図
【符号の説明】
１  炊飯器本体
２  蓋
２ａ  外蓋
２ｂ  内蓋
２ｃ  蓋ヒンジ部材
３  炊飯釜
４  操作パネル
５  フック解除ボタン
６  加熱板
７  蒸気穴
８  蒸気穴セット
９  蓋パッキン
１１  胴部
１２  蓋取付け台
１３  ヒンジ部
１４  ヒンジ穴
１５  嵌合部
１６  上端開口部
１７  ヒンジばね
１８  軸受穴
１９  ヒンジピン
２１、２２  フック部
２３  フック受け部
２４  切欠き部
２５  ねじ止めボス部
２６  補強リブ
２７  切欠き
２８  係合穴
２９  ボス嵌合部
３１  ビス穴
３２  円弧部
３３  位置決め突片
３４  係合爪
３５  放熱板
３６  装着部
３６ａ  上片
３６ｂ  下片
３７  カシメ部
３８  基部
３９  嵌合溝
４０  係合爪
４１  固定片
４２  蓋ヒーター
４３  アルミ箔
４４  係合片
４５  ビス
４６  係合突起
【図１】
2004357780.tif 000003
【図２】
2004357780.tif 000004
【図３】
2004357780.tif 000005
【図４】
2004357780.tif 000006
【図５】
2004357780.tif 000007
【図６】
2004357780.tif 000008
【図７】
2004357780.tif 000009
【図８】
2004357780.tif 000010